(57)【要約】【課題】本発明は、点灯装置、照明器具および照明システムに関し、起動電流による光源の発光を抑制できる点灯装置、照明器具および照明システムを得ることを目的とする。【解決手段】本発明に係る点灯装置は、一対の入力端と、一対の出力端と、一対の入力端から電力の供給を受け、光源を点灯させる電力を一対の出力端に出力するスイッチング電源回路と、を備え、スイッチング電源回路は、一対の入力端の正極に接続された第１端子と、第２端子と、制御端子と、を有するスイッチング素子と、第２端子と一対の出力端の正極との間に接続されたインダクタンス素子と、スイッチング素子を駆動させる制御装置と、第２端子とインダクタンス素子を繋ぐ線路に負極が接続され、制御装置を動作させる制御電源と、制御電源に起動電流を供給する起動充電回路と、一対の出力端の間に接続された抵抗と、を備える。【選択図】図１
2019154150.tif 000002
【特許請求の範囲】
【請求項１】
電源から電力の供給を受ける一対の入力端と、
一対の出力端と、
一対の入力端から電力の供給を受け、光源を点灯させる電力を前記一対の出力端に出力するスイッチング電源回路と、
を備え、
前記スイッチング電源回路は、
前記一対の入力端の正極に接続された第１端子と、第２端子と、前記第１端子と前記第２端子との間をスイッチングする制御端子と、を有するスイッチング素子と、
前記第２端子と前記一対の出力端の正極との間に接続されたインダクタンス素子と、
前記スイッチング素子を駆動させる制御装置と、
前記第２端子と前記インダクタンス素子を繋ぐ線路に負極が接続され、前記制御装置を動作させる制御電源と、
前記制御電源に起動電流を供給する起動充電回路と、
前記インダクタンス素子と前記一対の出力端の間で、前記一対の出力端の間に接続された抵抗と、
を備えることを特徴とする点灯装置。
【請求項２】
前記スイッチング素子が停止した状態で、前記起動電流は前記制御電源から前記インダクタンス素子を介し前記抵抗に流れることを特徴とする請求項１に記載の点灯装置。
【請求項３】
前記抵抗の抵抗値は、前記スイッチング素子が停止した状態で前記起動電流が前記制御電源から前記インダクタンス素子に流れた場合に、前記光源の明るさが人の目が認識できないように設定されることを特徴とする請求項１または２に記載の点灯装置。
【請求項４】
前記起動充電回路は、前記一対の入力端の正極から前記起動電流を供給することを特徴とする請求項１から３の何れか１項に記載の点灯装置。
【請求項５】
前記スイッチング電源回路に印加される電圧の異常時に、前記スイッチング素子を停止させる電圧検出回路を備えることを特徴とする請求項１から４の何れか１項に記載の点灯装置。
【請求項６】
前記電圧検出回路は、前記一対の出力端に印加される電圧が閾値よりも大きいとき、前記スイッチング素子を停止させることを特徴とする請求項５に記載の点灯装置。
【請求項７】
前記電圧検出回路は、前記スイッチング電源回路に入力される電圧が閾値よりも小さいとき、前記スイッチング素子を停止させることを特徴とする請求項５または６に記載の点灯装置。
【請求項８】
前記スイッチング素子がスイッチングしているとき、前記制御電源には前記インダクタンス素子から電力が供給されることを特徴とする請求項１から７の何れか１項に記載の点灯装置。
【請求項９】
請求項１から８の何れか１項に記載の点灯装置と、
前記光源と、
を備えることを特徴とする照明器具。
【請求項１０】
請求項９に記載の照明器具を複数備えることを特徴とする照明システム。
【発明の詳細な説明】
【技術分野】
【０００１】
本発明は、点灯装置、照明器具および照明システムに関する。
【背景技術】
【０００２】
特許文献１には、交流電源の交流電圧を全波整流して直流電圧に変換し、スイッチング素子をＯＮ／ＯＦＦ制御することにより降圧された直流電圧を負荷に供給する降圧型コンバータを備える直流電源装置が開示されている。直流電源装置を制御する制御回路の基準電位はスイッチング素子のソース端子側に設定され、フローティングとされている。
【先行技術文献】
【特許文献】
【０００３】
【特許文献１】特開２０１２−１６１３６号公報
【発明の概要】
【発明が解決しようとする課題】
【０００４】
最近、半導体光源の電源として、スイッチング手段を用いた電源装置が多く用いられている。この種の電源装置として、商用電源などの低周波交流を全波整流回路により全波整流するとともに、半導体光源を点灯させるために降圧を行う降圧チョッパ方式が用いられることがある。降圧チョッパ方式として、スイッチング素子に例えばＭＯＳＦＥＴを使用し、ドレインが全波整流を行うための整流素子と接続され、降圧チョッパ用のダイオードのカソードにソースが接続されるハイサイド方式がある。
【０００５】
ハイサイド方式では、ＭＯＳＦＥＴをオンさせるために、一般にソース電圧よりもゲート電圧を高くしなくてはならない。従って、特許文献１に示されるように、電源装置を制御する制御回路の基準端子を、全波整流後の基準電位に接続することなく、制御回路を基準電位とは別の電位を基準に駆動させるフローティング方式が用いられることがある。このフローティング方式では、制御回路が動作するための起動電流は、例えば全波整流電圧から供給される。
【０００６】
しかしながら、フローティング方式において、例えば半導体光源または外部電源の異常を検出してスイッチング素子が停止時したときに、起動電流が降圧チョッパ回路を介して半導体光源に印加されることが考えられる。この場合、起動電流による光源の発光が人の目に認識される可能性がある。
【０００７】
本発明は、上述の課題を解決するためになされたもので、起動電流による光源の発光を抑制できる点灯装置、照明器具および照明システムを得ることを目的とする。
【課題を解決するための手段】
【０００８】
本発明に係る点灯装置は、電源から電力の供給を受ける一対の入力端と、一対の出力端と、一対の入力端から電力の供給を受け、光源を点灯させる電力を該一対の出力端に出力するスイッチング電源回路と、を備え、該スイッチング電源回路は、該一対の入力端の正極に接続された第１端子と、第２端子と、該第１端子と該第２端子との間をスイッチングする制御端子と、を有するスイッチング素子と、該第２端子と該一対の出力端の正極との間に接続されたインダクタンス素子と、該スイッチング素子を駆動させる制御装置と、該第２端子と該インダクタンス素子を繋ぐ線路に負極が接続され、該制御装置を動作させる制御電源と、該制御電源に起動電流を供給する起動充電回路と、該インダクタンス素子と該一対の出力端の間で、該一対の出力端の間に接続された抵抗と、を備える。
【発明の効果】
【０００９】
本発明に係る点灯装置では、起動電流はインダクタンス素子を介して抵抗に流れる。このため、起動電流による光源の発光を抑制できる。
【図面の簡単な説明】
【００１０】
【図１】実施の形態１に係る照明器具の回路ブロック図である。
【図２】実施の形態１で待機モード中の点灯装置の動作を説明する図である。
【図３】実施の形態１の変形例に係る照明システムの回路ブロック図である。
【図４】実施の形態２に係る電圧検出回路を示す図である。
【図５】実施の形態２で待機モード中の点灯装置の動作を説明する図である。
【発明を実施するための形態】
【００１１】
本発明の実施の形態に係る点灯装置、照明器具および照明システムについて図面を参照して説明する。同じ又は対応する構成要素には同じ符号を付し、説明の繰り返しを省略する場合がある。
【００１２】
実施の形態１．
図１は、実施の形態１に係る照明器具１００の回路ブロック図である。照明器具１００はＬＥＤモジュール２と、電源３からの給電を受ける点灯装置１とを備えている。点灯装置１は電源３から電力の供給を受け、ＬＥＤモジュール２が有する光源２ａを点灯させるＬＥＤ点灯装置である。電源３は例えば商用電源等の交流電源である。
【００１３】
ＬＥＤモジュール２は直列に接続された複数の光源２ａを有する。光源２ａは例えば、ＬＥＤ等の半導体光源である。光源２ａはこれに限らず有機ＥＬ（Ｅｌｅｃｔｒｏ−Ｌｕｍｉｎｅｓｃｅｎｃｅ）等でも良い。ＬＥＤモジュール２は、光源２ａを１つ以上有していれば良い。また、複数の光源２ａは並列または直並列に接続されても良い。
【００１４】
点灯装置１は、入力フィルタ回路３０、一対の入力端９１、スイッチング電源回路５０および一対の出力端９２を備える。入力フィルタ回路３０は、電源３から供給された電力をスイッチング電源回路５０に伝送する。入力フィルタ回路３０の出力には、一対の入力端９１が接続される。一対の入力端９１は入力フィルタ回路３０を介して電源３から電力の供給を受ける。
【００１５】
一対の入力端９１にはスイッチング電源回路５０の入力が接続される。スイッチング電源回路５０の出力には、一対の出力端９２が接続される。スイッチング電源回路５０は、一対の入力端９１から電力の供給を受け、光源２ａを点灯させる電力を一対の出力端９２に出力する。
【００１６】
入力フィルタ回路３０では、点灯装置１の入力端の一方にヒューズ３１の一端が接続される。ヒューズ３１は点灯装置１の入力端のうち高電位側であるプラス極に接続される。ヒューズ３１の他端には、サージアブソーバ３２の一端、コンデンサ３３の正極およびブリッジを構成した整流素子３４が接続される。サージアブソーバ３２は例えばバリスタである。サージアブソーバ３２は第１動作電圧を有する。サージアブソーバ３２の他端とコンデンサ３３の負極は、点灯装置１の入力端の他方、つまり低電位側であるマイナス極に接続される。整流素子３４は点灯装置１の入力端と並列に接続される。整流素子３４の入力端子間には、サージアブソーバ３２とコンデンサ３３が並列に接続されている。
【００１７】
整流素子３４の高電位側の出力端子にはノーマルチョークコイル３５の一端が接続される。ノーマルチョークコイル３５の他端には、コンデンサ３６の正極、サージアブソーバ３７の一端が接続される。サージアブソーバ３７は例えばバリスタである。サージアブソーバ３７は、第１動作電圧よりも低い第２動作電圧を有する。コンデンサ３６の負極およびサージアブソーバ３７の他端は整流素子３４の低電位側の出力端子に接続される。整流素子３４の出力端子間には、サージアブソーバ３７とコンデンサ３６が並列に接続されている。サージアブソーバ３７には、一対の入力端９１およびスイッチング電源回路５０が並列に接続される。
【００１８】
スイッチング電源回路５０には、一例として、図１に示すような降圧チョッパ回路を用いることができる。スイッチング電源回路５０は、スイッチング素子５１と、降圧チョッパ用のダイオード５２と、インダクタンス素子５３と、コンデンサ５４と、検出抵抗５５と、制御装置５６と、抵抗５７と、ボトム検出抵抗５８とを備えている。
【００１９】
スイッチング素子５１は、本実施の形態ではＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。スイッチング素子５１は、第１端子と、第２端子と、第１端子と第２端子との間をスイッチングする制御端子とを有する。本実施の形態では、第１端子はドレイン、第２端子はソース、制御端子はゲートである。
【００２０】
第１端子は、一対の入力端９１の正極に接続される。つまり、第１端子はノーマルチョークコイル３５と接続される。第２端子には、ダイオード５２のカソードが接続される。ダイオード５２のアノードは、一対の入力端９１の負極に接続される。スイッチング素子５１とダイオード５２からなる直列回路は、コンデンサ３６と並列に接続されている。スイッチング素子５１の制御端子は、制御装置５６のＯｕｔ端子に接続される。
【００２１】
スイッチング素子５１の第２端子には、検出抵抗５５の一端がさらに接続される。検出抵抗５５の他端は、インダクタンス素子５３の一端に接続される。インダクタンス素子５３の他端は、一対の出力端９２の正極に接続される。インダクタンス素子５３は、第２端子と一対の出力端９２の正極との間に接続されている。インダクタンス素子５３と一対の出力端９２との間において、コンデンサ５４が一対の出力端９２と並列に接続される。検出抵抗５５、インダクタンス素子５およびコンデンサ５４はこの順に接続して直列回路を形成する。この直列回路はダイオード５２と並列に接続されている。
【００２２】
検出抵抗５５は、ＬＥＤモジュール２に流れるＬＥＤ電流の検出に用いられる。検出抵抗５５の一端は制御装置５６のＳｅｎ端子に接続される。検出抵抗５５の両端に印加されたＬＥＤ電流に対応した検出電圧は、制御装置５６に入力される。
【００２３】
制御装置５６は、スイッチング素子５１を駆動させる。制御装置５６は検出抵抗５５の検出電圧に基づいて、ＬＥＤモジュール２に流れる電流が一定電流になるようにスイッチング素子５１のオン時間を制御する。このように、スイッチング電源回路５０はスイッチング素子５１をオンオフする。制御装置５６により、スイッチング電源回路５０は定電流制御される。
【００２４】
ボトム検出抵抗５８は、フローティングされた制御装置５６のＺＴ端子と一対の入力端９１の負極との間に接続される。一対の入力端９１の負極は、整流後の基準電位となる。ボトム検出抵抗５８は、スイッチング素子５１の第１端子と第２端子との間の電圧を検出する。この電圧は、スイッチング素子５１のオフ後、インダクタンス素子５３に流れる電流がゼロになったときに、インダクタンス素子５３とスイッチング素子５１の寄生容量により疑似共振を始める。制御装置５６は疑似共振が予め決められた値以下になったときに、スイッチング素子５１をオンする。このように制御することで、臨界動作を実現できる。
【００２５】
インダクタンス素子５３の中点にはダイオード７１のアノードが接続される。ダイオード７１のカソードには抵抗７２の一端が接続される。抵抗７２の他端は、制御装置５６の電源端子Ｖｃｃとコンデンサ７３の正極に接続される。コンデンサ７３の負極は、スイッチング素子５１の第２端子とインダクタンス素子５３を繋ぐ線路５９に接続される。制御装置５６の基準電位となる接地用端子ＧＮＤは線路５９に接続される。制御装置５６の電源端子Ｖｃｃと接地用端子ＧＮＤとの間にはコンデンサ７３が接続される。
【００２６】
抵抗７２とコンデンサ７３は、ダイオード７１のカソードと制御装置５６の基準電位との間にＲＣフィルタを構成する。制御装置５６の定常時において、インダクタンス素子５３の中点からの電力は、ダイオード７１で整流され、ＲＣフィルタで平滑され、制御装置５６の電源端子Ｖｃｃに入力される。コンデンサ７３は、制御装置５６を動作させる制御電源である。スイッチング素子５１がスイッチングしているとき、制御電源にはインダクタンス素子５３から電力が供給される。
【００２７】
電源端子Ｖｃｃは、インダクタンス素子５３の中点から電力を供給される。このため、電源端子Ｖｃｃの電圧は、スイッチング電源回路５０の出力電圧に比例する。制御装置５６は、電源端子Ｖｃｃの電圧をモニタする。制御装置５６は、電源端子Ｖｃｃの電圧が予め設定された電圧値より大きいときに、異常状態と判断し、スイッチング素子５１のスイッチングを停止させる。
【００２８】
このように、点灯装置１は、スイッチング電源回路５０の出力電圧である一対の出力端９２に印加される電圧が閾値よりも大きいとき、スイッチング素子５１を停止させる電圧検出回路８０を備える。本実施の形態では、電圧検出回路８０は、ダイオード７１、抵抗７２、コンデンサ７３および制御装置５６を備える。電圧検出回路８０はこれに限らず、一対の出力端９２に印加される電圧を検出し、電圧異常時にスイッチング素子５１を停止できれば良い。また、電圧検出回路８０は、一対の出力端９２に印加される電圧に限らず、スイッチング電源回路５０に印加される電圧の異常時に、スイッチング素子５１を停止させても良い。
【００２９】
異常状態等によりスイッチング素子５１が停止した後、スイッチング素子５１を起動させる際には、インダクタンス素子５３に電流が流れていない。このため、制御電源は、制御電源に対して入力側となるスイッチング素子５１の第１端子側に接続された起動充電回路６０から電力を得る。スイッチング素子５１が停止した状態では、起動充電回路６０が制御電源に起動電流を供給する。起動充電回路６０は、抵抗６１、６２、ツェナーダイオード６３およびトランジスタ６４を備える。
【００３０】
スイッチング素子５１の第１端子には、抵抗６１の一端と、抵抗６２の一端とが接続される。抵抗６２の他端には、ツェナーダイオード６３のカソードが接続される。ツェナーダイオード６３のアノードは制御装置５６の基準電位となる線路５９に接続される。つまり、制御装置５６の基準電位と、スイッチング素子５１の第１端子との間に、抵抗６２と電圧決定用のツェナーダイオード６３がこの順に接続して形成された直列回路が接続される。
【００３１】
抵抗６１の他端には、トランジスタ６４のコレクタが接続される。トランジスタ６４のエミッタは制御装置５６の充電端子Ｃｈｇに接続される。トランジスタ６４のベースは抵抗６２とツェナーダイオード６３の接続点に接続される。つまり、制御装置５６の充電端子Ｃｈｇとスイッチング素子５１の第１端子との間に、抵抗６１、耐圧を補うトランジスタ６４がこの順に接続して形成された直列回路が接続される。制御装置５６の内部において、充電端子Ｃｈｇは電源端子Ｖｃｃと接続されている。
【００３２】
起動充電回路６０は、一対の入力端９１の正極から制御電源へ起動電流を供給する。整流素子３４からの電流は、一対の入力端９１の正極、抵抗６１、トランジスタ６４、充電端子Ｃｈｇ、電源端子Ｖｃｃを介して、コンデンサ７３、インダクタンス素子５３、コンデンサ５４に電流が流れる。以上から、起動充電回路６０は制御電源であるコンデンサ７３を充電する。
【００３３】
また、起動時にコンデンサ７３の充電が完了したら、制御装置５６は、充電端子Ｃｈｇと電源端子Ｖｃｃとの接続を切り離す。これにより、回路効率を向上できる。
【００３４】
スイッチング電源回路５０は、インダクタンス素子５３と一対の出力端９２の間で、一対の出力端９２の間に接続された抵抗５７を備える。抵抗５７は、一対の出力端９２およびＬＥＤモジュール２と並列に接続される。スイッチング素子５１が停止した状態で、起動充電回路６０からの起動電流は制御電源からインダクタンス素子５３を介し、抵抗５７に流れる。
【００３５】
以上から、起動電流はインダクタンス素子５３を通り、コンデンサ５４、ＬＥＤモジュール２および抵抗５７に流れる。抵抗５７は、ＬＥＤモジュール２の順電圧が、発光レベルが人の目に認識できない値となるように、起動電流をバイパスする。
【００３６】
次に、本実施の形態においてＬＥＤモジュール２の異常を検出してスイッチング素子５１が停止したときの点灯装置１の動作について説明する。
【００３７】
スイッチング電源回路５０の出力電圧が上昇すると、その電圧値に比例して制御装置５６の電源端子Ｖｃｃの電圧が上昇する。電源端子Ｖｃｃの電圧が予め定められた値よりも大きくなると、制御装置５６はスイッチングを停止させる。これにより、スイッチング素子５１がオフとなり、一対の出力端９２に電力が供給されない状態となる。
【００３８】
しかしながら、完全に電力が供給されないと、制御装置５６はリセットされる。リセットされると、制御装置５６はスイッチングを再開することとなる。これを防止するため、スイッチングを停止した状態では、制御装置５６は充電端子Ｃｈｇから起動電流を得て、待機モードとなる。待機モードでは、制御装置５６はスイッチングの停止を維持する。
【００３９】
図２は、実施の形態１で待機モード中の点灯装置１の動作を説明する図である。図２は、スイッチング電源回路５０のうち、待機モード中に動作する素子を抜粋して示している。待機モードにおいて、充電端子Ｃｈｇからの起動電流は、制御装置５６の基準電位に流れ込む。制御装置５６の基準電位は整流後の基準電位である一対の出力端９２の負極の電位と異なる。このため、起動電流はインダクタンス素子５３と抵抗５７を介して整流後の基準電位に流れる。
【００４０】
一方、スイッチングが停止したあとも、起動充電回路６０には、抵抗６２とツェナーダイオード６３を介して、整流後の基準電位に対して電圧が印加され続ける。
【００４１】
このため、図２に示されるように、一対の出力端９２は、スイッチングが停止したあとも、制御装置５６である定電流源５６ａと、起動充電回路６０である定電圧源５６ｂに接続されることとなる。従って、スイッチングが停止した状態でも、一対の出力端９２には抵抗５７の抵抗値分の電圧が発生する。
【００４２】
この電圧は、抵抗５７の抵抗値で決定される。抵抗５７の抵抗値は、スイッチング素子５１が停止した状態で、起動電流が制御電源からインダクタンス素子５３に流れた場合に、光源２ａの明るさが人の目が認識できないように設定される。このように、抵抗５７を選定することで、起動電流による発光レベルを人の目が認識できないレベルに低下させることができる。これにより、起動電流により光源２ａが人の目に認識できる明るさで点灯し、使用者が起動電流による不要な点灯を認識することを防止できる。
【００４３】
また、本実施の形態では、制御電源の供給回路が電圧検出回路８０を兼ねている。従って、小型および低コストの回路により、光源２ａの異常を検出できる。
【００４４】
本実施の形態では、抵抗５７の抵抗値は、起動電流による光源２ａの明るさが人の目が認識できないように設定されるものとした。この変形例として、抵抗５７は起動電流による光源２ａの発光を抑制できれば良い。
【００４５】
スイッチング電源回路５０として図１に示したものに限らず、スイッチング素子５１のオンオフにより光源２ａを点灯させ、制御電源の負極がスイッチング電源回路５０の基準電位に対してフローティングされた別の回路を採用しても良い。
【００４６】
また、起動充電回路６０は図１に示したものに限らず、スイッチング素子５１が停止した状態で、制御電源に電流を供給する回路であれば良い。例えば、起動充電回路６０は、一対の入力端９１の正極以外から起動電流を供給しても良い。また、コンデンサ７３の充電が完了した後に、充電端子Ｃｈｇと電源端子Ｖｃｃとの接続が切り離されなくても良い。
【００４７】
また、本実施の形態では制御電源はコンデンサ７３であるものとしたが、これに限らず、制御装置５６に動作電力を供給できれば良い。また、電源３は商用電源に限らず、例えば直流電源であっても良い。この場合、整流素子３４は設けなくても良い。
【００４８】
図３は、実施の形態１の変形例に係る照明システム１０１を示す図である。照明システム１０１は、複数の照明器具１００と制御部９０を備える。各々の照明器具１００は例えば、器具本体と、器具本体に取り付けられたＬＥＤモジュール２を備える。器具本体には点灯装置１が設けられている。制御部９０は、外部からの信号等に応じて複数の照明器具１００を制御する。このような照明システム１０１に本実施の形態を適用しても良い。また、照明システム１０１において、制御部９０は設けられなくても良い。
【００４９】
これらの変形は以下の実施の形態に係る点灯装置、照明器具および照明システムについて適宜応用することができる。なお、以下の実施の形態に係る点灯装置、照明器具および照明システムについては実施の形態１との共通点が多いので、実施の形態１との相違点を中心に説明する。
【００５０】
実施の形態２．
図４は、実施の形態２に係る電圧検出回路２８０を示す図である。電圧検出回路２８０は、スイッチング電源回路５０に入力される電圧が閾値よりも小さいとき、スイッチング素子５１を停止させる。電圧検出回路２８０は、例えば外部電源である電源３の異常を検出して、スイッチング素子５１を停止させる。この場合も、起動電流がインダクタンス素子５３を介して光源２ａに印加される。
【００５１】
電圧検出回路２８０は、分圧用の抵抗８２、８３と、ダイオード８１と、分圧した電圧を平滑するコンデンサ８４と、リセットＩＣ８５と、起動充電回路６０内のツェナーダイオード６３を短絡できるスイッチング素子８６と、を備える。電圧検出回路２８０は、一対の入力端９１に接続される。電圧検出回路２８０は、降圧チョッパ回路の入力側に接続され、降圧チョッパ回路への入力電圧をモニタする。
【００５２】
ダイオード８１のアノードには、一対の入力端９１の正極と抵抗６２の一端が接続される。ダイオード８１のカソードには、抵抗８２、８３の直列回路の一端が接続される直列回路の他端は一対の入力端９１の負極に接続される。抵抗８２、８３の接続点は、リセットＩＣ８５の入力に接続される。リセットＩＣ８５の入力と、一対の入力端９１の負極との間には、コンデンサ８４が接続される。
【００５３】
リセットＩＣ８５の出力は、スイッチング素子８６のゲートに接続される。スイッチング素子８６は例えばＭＯＳＦＥＴである。スイッチング素子８６のドレインには、ツェナーダイオード６３のカソードと抵抗６２の他端とが接続される。スイッチング素子８６のソースは、ツェナーダイオード６３のアノードと接続される。
【００５４】
一対の入力端９１への入力電圧が低下した場合、入力電圧に比例して、リセットＩＣ８５に入力される電圧も低下する。リセットＩＣ８５への入力電圧が予め定められた値よりも小さくなると、リセットＩＣ８５はスイッチング素子８６をオンする。これにより、ツェナーダイオード６３の両端が短絡される。従って、制御装置５６の電源端子Ｖｃｃの電圧が低下し、制御装置５６はスイッチングを停止させる。実施の形態１と同様に、スイッチングを停止した状態では、制御装置５６は充電端子Ｃｈｇから起動電流を得て、待機モードとなる。
【００５５】
一方、一対の入力端９１への入力電圧が復帰した場合、入力電圧に比例して、リセットＩＣ８５に入力される電圧も上昇する。リセットＩＣ８５への入力電圧が予め定められた値よりも大きくなったとき、リセットＩＣ８５はスイッチング素子８６をオフする。これにより、制御装置５６の電源端子Ｖｃｃの電圧が復帰し、制御装置５６はスイッチングを再開する。
【００５６】
図５は、実施の形態２で待機モード中の点灯装置１の動作を説明する図である。図５は、スイッチング電源回路５０のうち、待機モード中に動作する素子を抜粋して示している。充電端子Ｃｈｇからの起動電流は、制御装置５６の基準電位に流れ込む。制御装置５６の基準電位は整流後の基準電位と異なるため、起動電流はインダクタンス素子５３と抵抗５７を介して整流後の基準電位に流れる。一方、スイッチングが停止したあとも、起動充電回路６０には、抵抗６２を介して整流後の基準電位に対して電圧が印加され続ける。
【００５７】
このため、一対の出力端９２は、スイッチングが停止したあとも、制御装置５６である定電流源５６ａと、起動充電回路６０である定電圧源５６ｂに接続されることとなる。従って、スイッチングが停止した状態でも、一対の出力端９２には抵抗５７の抵抗値分の電圧が発生する。
【００５８】
抵抗５７の抵抗値は、スイッチング素子５１が停止した状態で、起動電流が制御電源からインダクタンス素子５３に流れた場合に、光源２ａの明るさが人の目が認識できないように設定される。このように、抵抗５７を選定することで、実施の形態１と同様に、起動電流による発光レベルを人の目が認識できないレベルに低下させることができる。
【００５９】
電圧検出回路２８０は図４に示されるものに限らず、スイッチング電源回路５０に入力される電圧が閾値よりも小さいとき、スイッチング素子５１を停止させる回路であれば良い。また、電圧検出回路２８０は、一対の入力端９１以外の箇所に接続されても良い。例えば、電圧検出回路２８０は点灯装置１の入力端に接続されても良い。
【００６０】
なお、各実施の形態で説明した技術的特徴は適宜に組み合わせて用いてもよい。
【符号の説明】
【００６１】
１０１  照明システム、１００  照明器具、１  点灯装置、２  ＬＥＤモジュール、２ａ  光源、３  電源、３０  入力フィルタ回路、３１  ヒューズ、３２  サージアブソーバ、３３  コンデンサ、３４  整流素子、３５  ノーマルチョークコイル、３６  コンデンサ、３７  サージアブソーバ、５０  スイッチング電源回路、５１  スイッチング素子、５２  ダイオード、５３  インダクタンス素子、５４  コンデンサ、５５  検出抵抗、５６  制御装置、５６ａ  定電流源、５６ｂ  定電圧源、５７  抵抗、５８  ボトム検出抵抗、５９  線路、６０  起動充電回路、６１  抵抗、６２  抵抗、６３  ツェナーダイオード、６４  トランジスタ、７１  ダイオード、７２  抵抗、７３  コンデンサ、８０、２８０  電圧検出回路、８１  ダイオード、８２  抵抗、８３  抵抗、８４  コンデンサ、８５  リセットＩＣ、８６  スイッチング素子、９０  制御部、９１  入力端、９２  出力端
【図１】
2019154150.tif 000003
【図２】
2019154150.tif 000004
【図３】
2019154150.tif 000005
【図４】
2019154150.tif 000006
【図５】
2019154150.tif 000007